(57)【要約】【課題】プリントされた文書を複写またはスキャンしてプリントする際に、色の不整合やモアレ等の画像欠陥を生じさせることのない画像形成装置および画像読取装置並びに画像処理方法を提供する。【解決手段】ネットワーク６を介して入力された画像データに基づいてプリントを行う際に、画像処理装置５で画像処理に用いたパラメータに基づく画像属性情報を生成し、該生成した画像属性情報を画像データに付加し、画像出力装置４から出力する。そして、画像出力装置４から出力した画像を原稿として複写処理を行う場合に、画像処理装置３で原稿に付加された画像属性情報に基づいて、画像処理のパラメータを設定し、該設定したパラメータで画像処理を実行し、画像出力装置４から出力する。【選択図】        図１
2004287777.tif 000002
【特許請求の範囲】
【請求項１】
原稿に応じた画像を形成する画像形成装置において、
原稿の画像属性を認識する画像属性認識手段と、
原稿に基づく画像データに対し、画像処理を施す画像処理手段と、
前記画像属性認識手段が認識した画像属性に応じて、前記画像処理手段による画像処理パラメータを設定するパラメータ設定手段とを具備することを特徴とする画像形成装置。
【請求項２】
前記画像属性認識手段は、
原稿に付加された画像属性情報を抽出する画像属性情報抽出手段と、
前記属性情報抽出手段が抽出した画像属性情報に基づいて画像属性を判定する画像属性判定手段とを具備することを特徴とする請求項１記載の画像形成装置。
【請求項３】
前記画像属性認識手段は、
原稿を読み取って該原稿に応じた画像データを生成する画像読取装置から前記画像属性を取得することを特徴とする請求項１記載の画像形成装置。
【請求項４】
前記画像属性認識手段は、
利用者から入力された画像属性を取得することを特徴とする請求項１記載の画像形成装置。
【請求項５】
前記画像処理手段が施した画像処理に応じた画像属性情報を生成する画像属性情報生成手段と、
前記画像属性情報生成手段が生成した画像属性情報を前記画像処理手段により画像処理が施された画像データに付加する画像属性情報付加手段とをさらに具備することを特徴とする請求項１乃至４のいずれかに記載の画像形成装置。
【請求項６】
入力された画像データに基づく画像を形成する画像形成装置において、
入力された画像データに対し、画像処理を施す画像処理手段と、
前記画像処理手段が施した画像処理に応じた画像属性情報を生成する画像属性情報生成手段と、
前記画像属性情報生成手段が生成した画像属性情報を前記画像処理手段により画像処理が施された画像データに付加する画像属性情報付加手段とを具備することを特徴とする画像形成装置。
【請求項７】
原稿を読み取り、該原稿に応じた画像データを生成する画像読取装置において、
原稿に付加された画像属性情報を抽出する画像属性情報抽出手段と、
前記属性情報抽出手段が抽出した画像属性情報に基づいて画像属性を判定する画像属性判定手段とを具備することを特徴とする画像読取装置。
【請求項８】
原稿に応じた画像を形成する画像形成装置の画像処理方法において、
原稿の画像属性を認識し、該認識した画像属性に応じて該原稿に対応する画像データの画像処理パラメータを決定することを特徴とする画像処理方法。
【請求項９】
原稿に付加された画像属性情報を抽出し、該抽出した画像属性情報に基づいて前記画像属性を判定することを特徴とする請求項８記載の画像処理方法。
【請求項１０】
原稿を読み取って該原稿に応じた画像データを生成する画像読取装置から前記画像属性を取得することを特徴とする請求項８記載の画像処理方法。
【請求項１１】
前記画像属性は、
利用者から入力されることを特徴とする請求項８記載の画像処理方法。
【請求項１２】
前記画像データに施した画像処理に応じた画像属性情報を生成し、該生成した画像属性情報を前記画像処理が施された画像データに付加することを特徴とする請求項８乃至１１のいずれかに記載の画像処理方法。
【請求項１３】
入力された画像データに基づく画像を形成する画像形成装置の画像処理方法において、
入力された画像データに対し、画像処理を施すとともに、該画像処理に応じた画像属性情報を生成し、該生成した画像属性情報を前記画像処理を施した画像データに付加することを特徴とする画像処理方法。
【発明の詳細な説明】
【０００１】
【発明の属する技術分野】
この発明は、画像形成装置および画像読取装置並びに画像処理方法に関し、特に、プリントされた原稿を複写処理する画像形成装置および画像読取装置並びに画像処理方法に関する。
【０００２】
【従来の技術】
近年、複写機やプリンタ、スキャナ、ファックス、これらの機能を１つの装置に集約した複合機が普及し、様々な文書が生成、プリントされるようになっている。また、プリントされた文書は、複写やスキャンがなされたり、ファックスにより送信される等、様々な場面で利用されるようになっている。
【０００３】
一般に、プリントされた文書は、その画像構造、例えば、色再現特性や空間周波数特性について、多種多様のものがあり、この文書を複写したり、スキャンしてプリントすると、色が合わなかったり、スクリーン等の空間周波数的ミスマッチ等の問題により、モアレ等の画像欠陥を発生する場合がある。
【０００４】
なお、詳細は後述するが、この発明を適用する複合機等では、複写やプリント等を行う画像に対して、情報を付加する場合がある。画像に情報を付加する技術としては、カラー複写機において、人間の視覚特性に鈍感な画像に付加された複写物悪用防止情報が、再度複写された時、濃度変動のため目立ってしまうことを回避するために、レーザー露光によるドット形状、スクリーン線数、スクリーン角度を変更する技術（例えば、特許文献１参照）や、画像に付加された情報が、その原稿画像特性に関係なく、確実にスキャナーによって読み出せるように、原稿画像特性を識別し、最適な付加データパターン及び画像圧縮を切り替える技術（例えば、特許文献２参照）、マシンのジョブ情報より、文書名・ユーザ名・クライアントコンピュータ名・印刷日時・出力プリンタ名・ロケーション等の印刷ジョブ情報を複写・プリント画像に付加する技術（例えば、特許文献３参照）等がある。
【０００５】
【特許文献１】
特開平６−８６０４９号公報
【特許文献２】
特開２００１−２４８７７号公報
【特許文献３】
特開２００２−１７１４００号公報
【０００６】
【発明が解決しようとする課題】
上述したように、プリントされた文書は、その画像構造の相違により、文書を複写したり、スキャンしてプリントすると、色が合わなかったり、モアレ等の画像欠陥が発生する場合があった。
【０００７】
そこで、この発明は、プリントされた文書を複写またはスキャンしてプリントする際に、色の不整合やモアレ等の画像欠陥を生じさせることのない画像形成装置および画像読取装置並びに画像処理方法を提供することを目的とする。
【０００８】
【課題を解決するための手段】
上述した目的を達成するため、請求項１の発明は、原稿に応じた画像を形成する画像形成装置において、原稿の画像属性を認識する画像属性認識手段と、原稿に基づく画像データに対し、画像処理を施す画像処理手段と、前記画像属性認識手段が認識した画像属性に応じて、前記画像処理手段による画像処理パラメータを設定するパラメータ設定手段とを具備することを特徴とする。
【０００９】
また、請求項２の発明は、請求項１の発明において、前記画像属性認識手段は、原稿に付加された画像属性情報を抽出する画像属性情報抽出手段と、前記属性情報抽出手段が抽出した画像属性情報に基づいて画像属性を判定する画像属性判定手段とを具備することを特徴とする。
【００１０】
また、請求項３の発明は、請求項１の発明において、前記画像属性認識手段は、原稿を読み取って該原稿に応じた画像データを生成する画像読取装置から前記画像属性を取得することを特徴とする。
【００１１】
また、請求項４の発明は、請求項１の発明において、前記画像属性認識手段は、利用者から入力された画像属性を取得することを特徴とする。
【００１２】
また、請求項５の発明は、請求項１乃至４のいずれかの発明において、前記画像処理手段が施した画像処理に応じた画像属性情報を生成する画像属性情報生成手段と、前記画像属性情報生成手段が生成した画像属性情報を前記画像処理手段により画像処理が施された画像データに付加する画像属性情報付加手段とをさらに具備することを特徴とする。
【００１３】
また、請求項６の発明は、入力された画像データに基づく画像を形成する画像形成装置において、入力された画像データに対し、画像処理を施す画像処理手段と、前記画像処理手段が施した画像処理に応じた画像属性情報を生成する画像属性情報生成手段と、前記画像属性情報生成手段が生成した画像属性情報を前記画像処理手段により画像処理が施された画像データに付加する画像属性情報付加手段とを具備することを特徴とする。
【００１４】
また、請求項７の発明は、原稿を読み取り、該原稿に応じた画像データを生成する画像読取装置において、原稿に付加された画像属性情報を抽出する画像属性情報抽出手段と、前記属性情報抽出手段が抽出した画像属性情報に基づいて画像属性を判定する画像属性判定手段とを具備することを特徴とする。
【００１５】
また、請求項８の発明は、原稿に応じた画像を形成する画像形成装置の画像処理方法において、原稿の画像属性を認識し、該認識した画像属性に応じて該原稿に対応する画像データの画像処理パラメータを決定することを特徴とする。
【００１６】
また、請求項９の発明は、請求項８の発明において、原稿に付加された画像属性情報を抽出し、該抽出した画像属性情報に基づいて前記画像属性を判定することを特徴とする。
【００１７】
また、請求項１０の発明は、請求項８の発明において、原稿を読み取って該原稿に応じた画像データを生成する画像読取装置から前記画像属性を取得することを特徴とする。
【００１８】
また、請求項１１の発明は、請求項８の発明において、前記画像属性は、利用者から入力されることを特徴とする。
【００１９】
また、請求項１２の発明は、請求項８乃至１１のいずれかの発明において、前記画像データに施した画像処理に応じた画像属性情報を生成し、該生成した画像属性情報を前記画像処理が施された画像データに付加することを特徴とする。
【００２０】
また、請求項１３の発明は、入力された画像データに基づく画像を形成する画像形成装置の画像処理方法において、入力された画像データに対し、画像処理を施すとともに、該画像処理に応じた画像属性情報を生成し、該生成した画像属性情報を前記画像処理を施した画像データに付加することを特徴とする。
【００２１】
【発明の実施の形態】
以下、この発明に係る画像形成装置および画像読取装置並びに画像処理方法の一実施の形態について、添付図面を参照して詳細に説明する。
【００２２】
図１は、この発明を適用した複合機の機能的な構成を示すブロック図である。同図に示すように、複合機１は、画像入力装置２と画像処理装置３、画像出力装置４、画像処理装置５を具備して構成される。
【００２３】
画像入力装置２は、原稿を読み取って該原稿に応じた画像データを生成する。画像処理装置３は、複写処理用の画像処理を行うもので、画像入力装置２が生成した画像データに対して補正等の処理を施し、処理を施した画像データを画像出力装置４に出力する。画像出力装置４は、画像処理装置３または画像処理装置５から入力される画像データに基づいて用紙上等に画像を形成して出力する。画像処理装置５は、プリント処理用の画像処理を行うもので、ネットワーク６を介して接続される図示しないクライアント等から受信したプリントデータに対して、レンダリングや補正等の処理を施し、処理を施した画像データを画像出力装置４に出力する。
【００２４】
この複合機１においては、原稿の複写を実行する場合には、画像入力装置１で原稿を読み取り、画像処理装置２による画像処理を経て、画像出力装置３が用紙上に形成した画像を出力する。また、プリントを実行する場合には、画像処理装置５がクライアントから受信したプリントデータを受信して画像処理を施し、画像出力装置３が用紙上に形成した画像を出力する。
【００２５】
また、複合機１でプリント処理を行う場合には、出力する画像に当該画像に関する画質属性等の情報を埋め込み、この画像を原稿として複写処理を行う場合には、当該原稿に埋め込まれた画質属性等の情報を抽出し、抽出した情報に基づいて最適な画像処理を施すこととなる。
【００２６】
なお、図１には示していないが、複合機１には、この他にファックス送受信の処理を実行するファックス処理部や画像入力装置２が原稿を読み取って得た画像をネットワーク６を介して接続されるクライアント等に送出する送受信処理部等が配される場合もある。
【００２７】
次に、複合機１を構成する各装置の詳細とともに、上述した画質属性等の情報を用いた処理について説明する。
【００２８】
図２は、画像処理装置５の機能的な構成を示すブロック図である。同図に示すように、画像処理装置５は、画像データ処理部５１と色補正処理部５２、γ補正処理部５３、スクリーン処理部５４、画像属性生成部５５、画像属性付加部５６を具備して構成される。
【００２９】
画像データ処理部５１は、ネットワーク６を介して接続されるクライアント等が送出したページ記述言語等のプリントデータに対し、レンダリングやリッピング等の処理を施して、画像データを生成する。色補正処理部５２は、画像データ処理部５１が生成した画像データの色空間をＲＧＢからＹＭＣＫに変換するとともに、色補正処理を施す。γ補正処理部５３は、色補正処理部５２で色補正処理が施された画像データに対して、γ補正を施し、スクリーン処理部５４は、γ補正処理部５３でγ補正処理が施された画像データに対してスクリーン処理を施す。
【００３０】
また、画像属性生成部５５は、プリントデータに基づいて画像属性を生成する。画像属性生成部５５が生成する画像属性は、色補正処理部５２、γ補正処理部５３、スクリーン処理部５４の各部で施される処理の内容に応じたものである。画像属性付加部５６は、画像属性生成部５５が生成した画像属性をスクリーン処理部５４でスクリーン処理が施された画像データに付加する。画像属性は、例えば、画像データに埋込情報として付加するが、その方法としては、従来から利用されているものを用いることができ、その技術は問わない。また、許容されているならば、バーコード等の可視情報として画像属性を付加するようにしてもよい。
【００３１】
次に、画像入力装置２について説明する。図３は、画像入力装置２の機能的な構成を示すブロック図である。
【００３２】
同図に示すように、画像入力装置２は、画像読取部２１と画像データ生成部２２、画像データ出力部２３、画像属性抽出部２４、画像属性出力部２５を具備して構成される。
【００３３】
画像読取部２１は、原稿を光学的に読み取る。画像データ生成部２２は、画像読取部２１が読み取った光を光電変換し、画像データを生成する。画像データ出力部２３は、画像データ生成部２２が生成した画像データを出力する。
【００３４】
また、画像属性抽出部２４は、画像データ生成部２２が生成した画像データに画像属性情報が含まれている場合、例えば、画像処理装置５で処理した画像を画像出力装置４から出力したものが原稿として画像読取部２１で読み取られた場合に、当該画像データから画像属性情報を抽出する。画像属性出力部２５は、画像属性抽出部２４が抽出した画像属性を出力する。
【００３５】
続いて、画像処理装置３について説明する。図４は、画像処理装置３の機能的な構成を示すブロック図である。
【００３６】
同図に示すように、画像処理装置３は、色補正処理部３１と文字・写真分離処理部３２、フィルタ処理部３３、色補正処理部３４、γ補正処理部３５、スクリーン処理部３６、画像属性判断部３７、パラメータ設定部３８、画像属性入力部３９を具備して構成される。
【００３７】
色補正処理部３１は、入力側の色補正処理を行うもので、画像入力装置２から入力された画像データの色空間をＲＧＢからＬ＊ａ＊ｂ＊に変換する。文字・写真分離処理部３２は、色補正処理部３１で色補正処理が施された画像データを文字部分と写真部分に分離する。フィルタ処理部３３は、文字・写真分離処理部３２で文字部分と写真部分に分離された画像データのそれぞれに対して、ディジタルフィルタによるフィルタリング処理を施す。色補正処理部３４は、出力側の色補正処理を行うもので、フィルタ処理部３３でフィルタリング処理が施された画像データの色空間をＬ＊ａ＊ｂ＊からＹＭＣＫに変換する。γ補正処理部３５は、色補正処理部３４で色補正処理が施された画像データに対して、γ補正を施し、スクリーン処理部３６は、γ補正処理部３５でγ補正処理が施された画像データに対してスクリーン処理を施す。
【００３８】
また、画像属性判断部３７は、画像入力装置２から入力された画像属性情報に基づいて、対応する画像データに対して処理すべき画像属性を決定する。具体的には、画像入力装置２から入力される画像属性情報は、対応する画像データの原稿をプリントした際の画像属性であるため、これに基づいて、色補正処理部３１、文字・写真分離処理部３２、フィルタ処理部３３、色補正処理部３４、γ補正処理部３５、スクリーン処理部３６における各処理に最適なパラメータを決定する。パラメータ設定部３８は、画像属性判断部３７が決定したパラメータ若しくは画像属性入力部３９から入力されたパラメータをそれぞれ色補正処理部３１、文字・写真分離処理部３２、フィルタ処理部３３、色補正処理部３４、γ補正処理部３５、スクリーン処理部３６に設定する。画像属性入力部３９は、ユーザ等が直接画像属性を指定する場合に、画像属性の指定を受け付ける。ユーザ等による画像属性の指定は、例えば、図示しない操作・表示部等に、図５に示すような画面を表示し、当該画面でユーザ等に画像属性を指定させ、画像属性入力部３９が指定された画像属性を受け付ける。
【００３９】
また、画像属性判断部３７は、画像入力装置２から入力された画像属性に基づいて、都度、パラメータを算出してもよいが、予め複数のパラメータを用意しておき、画像属性に基づいて最適なパラメータを選択するようにしてもよい。パラメータを選択する場合には、パラメータ設定部３８に、図６に示すような複数のパラメータ定義を保持しておき、画像属性判断部３７が画像属性に基づいて、利用する定義を選択する。また、図６中に定義Ｘで示すものは、画像属性入力部３９がユーザ等から指定された画像属性をパラメータとして格納する変数の並びである。
【００４０】
画像属性判断部３７が判断するパラメータとしては、原稿のスクリーンと画像出力装置４の有する周波数特性による画質欠陥や原稿のスクリーンと画像入力装置２の有する周波数特性による画質欠陥等を防止するために、スクリーン処理部３６で処理するスクリーンの線数や角度、形状の設定、フィルタ処理部３３によるフィルタリング処理に際するフィルタの特性の変更、色補正処理部３４による墨入れ量の変更、文字・写真分離処理部３２によるエッジ抽出パラメータの変更等がある。
【００４１】
なお、パラメータ設定部３８は、必ずしも色補正処理部３１、文字・写真分離処理部３２、フィルタ処理部３３、色補正処理部３４、γ補正処理部３５、スクリーン処理部３６の全てのパラメータを設定する必要はなく、これらのいずれかのパラメータのみを設定するようにしてもよい。
【００４２】
このように、複合機１では、プリントデータに基づくプリント処理を行う場合には、画像処理装置５で各種補正処理やスクリーンの適用を行った画像データに各処理内容に基づく画像属性情報を付加し、画像出力装置４から画像属性情報が付加された画像を出力する。そして、この画像を原稿として複写処理を行う場合には、画像入力装置２で原稿を読み取って画像データを生成するとともに、原稿から画像属性情報を抽出し、抽出した画像属性情報に基づいて画像処理部３で画像データに対して適切な画像処理を施した後に、画像出力装置４からの出力を行う。このような処理により、プリントした画像を複写する場合であっても、色の不整合やモアレ等の画像欠陥を生じさせることが無くなる。
【００４３】
ところで、上述の複合機１では、画像入力装置２で画像属性情報の抽出を行うが、画像属性情報の抽出は、必ずしも画像入力装置で行う必要はなく、画像処理装置で行うようにしてもよい。この場合には、画像入力装置は、画像属性情報の抽出を行うための構成を有する必要はなく、画像データのみを出力するものであればよい。また、画像処理装置は、画像属性情報を抽出するための構成を有する必要がある。
【００４４】
図７は、画像属性情報の抽出を行う画像処理装置の機能的な構成を示すブロック図である。なお、同図に示す画像処理装置１０３は、図１に示した複合機１の画像処理装置３と置き換えて利用するものであるが、この場合には、画像入力装置２も画像属性情報の抽出を行わない装置に置き換えることができる。
【００４５】
同図に示すように、画像処理装置１０３は、色補正処理部１３１と文字・写真分離処理部１３２、フィルタ処理部１３３、色補正処理部１３４、γ補正処理部１３５、スクリーン処理部１３６、画像属性判断部１３７、パラメータ設定部１３８、画像属性入力部１３９、画像属性抽出部１２４を具備して構成される。
【００４６】
色補正処理部１３１、文字・写真分離処理部１３２、フィルタ処理部１３３、色補正処理部１３４、γ補正処理部１３５、スクリーン処理部１３６、画像属性判断部１３７、パラメータ設定部１３８、画像属性入力部１３９は、それぞれ、図４に示した色補正処理部３１、文字・写真分離処理部３２、フィルタ処理部３３、色補正処理部３４、γ補正処理部３５、スクリーン処理部３６、画像属性判断部３７、パラメータ設定部３８、画像属性入力部３９と対応するもので、その機能は、同一のものである。
【００４７】
画像属性抽出部１２４は、画像入力装置から入力された画像データ（色補正処理部１３１に入力されるものと同一のもの）から、画像属性情報を抽出し、抽出した画像属性情報を画像属性判断部１３７へ出力する。
【００４８】
また、複合機１では、複写処理を実行した際にも、その出力画像に画像属性情報を付加するように動作することもできる。この場合、付加される画像属性情報は、新たなもの若しくは原稿画像に付加されていた画像属性情報を更新したものとなる。
【００４９】
図８は、複写処理に際して画像属性情報を付加する場合の画像処理装置の機能的な構成を示すブロック図である。なお、同図に示す画像処理装置２０３は、図１に示した複合機１の画像処理装置３と置き換えて利用するものである。
【００５０】
同図に示すように、画像処理装置２０３は、色補正処理部２３１と文字・写真分離処理部２３２、フィルタ処理部２３３、色補正処理部２３４、γ補正処理部２３５、スクリーン処理部２３６、画像属性判断部２３７、パラメータ設定部２３８、画像属性入力部２３９、画像属性生成部２５５、画像属性付加部２５６を具備して構成される。
【００５１】
色補正処理部２３１、文字・写真分離処理部２３２、フィルタ処理部２３３、色補正処理部２３４、γ補正処理部２３５、スクリーン処理部２３６、画像属性判断部２３７、パラメータ設定部２３８、画像属性入力部２３９は、それぞれ、図４に示した色補正処理部３１、文字・写真分離処理部３２、フィルタ処理部３３、色補正処理部３４、γ補正処理部３５、スクリーン処理部３６、画像属性判断部３７、パラメータ設定部３８、画像属性入力部３９と対応するもので、その機能は、同一のものである。
【００５２】
画像属性生成部２５５は、パラメータ設定部２３８が色補正処理部２３１等に設定したパラメータに基づいて、画像属性情報を生成する。画像属性付加部２５６は、画像属性生成部２５５が生成した画像属性をスクリーン処理部２３６でスクリーン処理が施された画像データに付加する。
【００５３】
また、画像属性付加部２５６では、新たに画像属性情報を付加する代わりに、旧画像属性情報、つまり、原稿画像に付加されていた画像属性情報を消去するようにしてもよい。旧画像属性情報の消去が困難である場合には、その旧画像属性情報が無効である旨を示す情報を付加するようにしてもよい。
【００５４】
なお、上述の説明では、プリント機能と複写機能を有する複合機１を例とした説明を行ったが、この他にもファクシミリ機能やスキャン機能を有する複合機や、プリンタ単体、複写機単体においても、同様に画像属性情報を利用して、画像欠陥等を防止することができる。
【００５５】
複合機１がファクシミリ機能を有する場合には、受信データを画像処理装置５を介して画像出力装置４から出力し、スキャン機能を有する場合には、画像入力装置２の出力をネットワーク６を介して出力するようにする。
【００５６】
また、この発明をプリンタ単体に適用する場合には、画像処理装置５と画像出力装置４に相当する装置でプリンタを構成し、この発明を複写機単体に適用する場合には、画像入力装置２と画像処理装置３、画像出力装置４に相当する装置で複写機を構成する。
【００５７】
【発明の効果】
以上説明したように、この発明によれば、原稿の画像属性を認識し、該認識した画像属性に応じて該原稿に対応する画像データの画像処理パラメータを決定するように構成したので、プリントされた文書を複写またはスキャンしてプリントする場合でも、色の不整合やモアレ等の画像欠陥を生じさせることがない。
【図面の簡単な説明】
【図１】この発明を適用した複合機の機能的な構成を示すブロック図である。
【図２】画像処理装置５の機能的な構成を示すブロック図である。
【図３】画像入力装置２の機能的な構成を示すブロック図である。
【図４】画像処理装置３の機能的な構成を示すブロック図である。
【図５】画像属性を入力する入力画面の例を示した図である。
【図６】パラメータ定義の例を示した図である。
【図７】画像属性情報の抽出を行う画像処理装置の機能的な構成を示すブロック図である。
【図８】複写処理に際して画像属性情報を付加する場合の画像処理装置の機能的な構成を示すブロック図である。
【符号の説明】
１    複合機
２    画像入力装置
３    画像処理装置
４    画像出力装置
５    画像処理装置
６    ネットワーク
２１    画像読取部
２２    画像データ生成部
２３    画像データ出力部
２４    画像属性抽出部
２５    画像属性出力部
３１    色補正処理部
３２    文字・写真分離処理部
３３    フィルタ処理部
３４    色補正処理部
３５    γ補正処理部
３６    スクリーン処理部
３７    画像属性判断部
３８    パラメータ設定部
３９    画像属性入力部
５１    画像データ処理部
５２    色補正処理部
５３    γ補正処理部
５４    スクリーン処理部
５５    画像属性生成部
５６    画像属性付加部
１０３    画像処理装置
１２４    画像属性抽出部
１３１    色補正処理部
１３２    文字・写真分離処理部
１３３    フィルタ処理部
１３４    色補正処理部
１３５    γ補正処理部
１３６    スクリーン処理部
１３７    画像属性判断部
１３８    パラメータ設定部
１３９    画像属性入力部
２０３    画像処理装置
２３１    色補正処理部
２３２    文字・写真分離処理部
２３３    フィルタ処理部
２３４    色補正処理部
２３５    γ補正処理部
２３６    スクリーン処理部
２３７    画像属性判断部
２３８    パラメータ設定部
２３９    画像属性入力部
２５５    画像属性生成部
２５６    画像属性付加部
【図１】
2004287777.tif 000003
【図２】
2004287777.tif 000004
【図３】
2004287777.tif 000005
【図４】
2004287777.tif 000006
【図５】
2004287777.tif 000007
【図６】
2004287777.tif 000008
【図７】
2004287777.tif 000009
【図８】
2004287777.tif 000010